(57)【要約】【課題】  ドラム缶上部蓋に固定の小口径給排口構造が、雄ボルト栓が薄型鋼板多角形フランジ式の場合に於ける、薄型鋼板製多角形穴式オープナーが、着脱回転操作時に離脱落することなく作業を可能し、かつ、経済的製作を可能とすることを目的とする。【解決手段】  前記ドラム缶給排口用の、薄板鋼板製多角形フランジ式雄ボルト栓回転開閉用に用いられる段差取っ手付き鋼板製短冊状オープナーを、片端ヘッドに設けた多角形貫通穴上面に所定の天板を配して貫通穴を板厚からなるポケット化を図って多角形フランジ被冠全辺接触保持回転可能に、かつ、軽量ヘッドホルダー式鋼板オープナーを形成出来る。【選択図】図１
2020055624.tif 000002
【特許請求の範囲】
【請求項１】
ドラム缶蓋面に配された小口径の給排用固定雌ネジナットに嵌合して密開閉可能な、薄板鋼板からなる凹筒状雄ネジボルト栓回転開閉用オープナーに関するもので、前記ボルト栓は、上部が水平拡張されて外辺を多角形羽根（以下フランジと言う）状に設けて筒部がネジ嵌合可能に構成され、前記オープナーは、所定肉厚の鋼板を所定巾を有する所定長の短冊状に設け、かつ、該長手方向片端ヘッド部に、前記ボルト栓フランジ嵌合可能な多角形貫通穴を配し、かつ、該穴部上面に所定の天板を配して冠状ポケットを形成するものとし、かつ、該短冊状長手方向中間部に段差を設けて取っ手付きに形成し、前記ボルト栓多角形フランジを前記ポケット被冠保持回転操作可能に構成されたヘッドホルダー式鋼板オープナー。
【発明の詳細な説明】
【技術分野】
【０００１】  鋼製ドラム缶蓋面部に設置の小口径給排口用の薄板鋼板多角形フランジ開閉用オープナーに関する。
【背景技術】
【０００２】  前記、液体等充填用鋼製ドラム缶蓋面に配された小口径薄板鋼板給排口部構造に於いて、蓋内面に筒状雌ネジナットが固定され、薄板鋼板製雄ネジボルト栓が筒凹状の上部水平拡張ランジ式に設けられた場合、オープナーは、通常、肉厚を有する短冊状鋼材を用いて多角形貫通穴部を設け、又は、多角形貫通穴６辺を所定の肉厚等に設けて形成し、嵌合回転着脱作業時の離脱落防止対策を講じて取っ手付きに形成されていた。
【発明の概要】
【発明が解決しようとする課題】
【０００３】  本発明は、前記課題に着目して、ドラム缶上蓋に設置の小口径給排口部構造が、蓋内部方向に固定された筒状雌ネジに対して、雄ボルト栓が、薄型鋼板成型の、凹筒状の上部拡張多角形フランジ構造に設けられた場合のフランジ回転開閉用オープナーに於いて、回転操作時の離脱落不安を無くして作業性の向上を図り、かつ、経済性を有するオープナーナの開発を目的とする。
【課題を解決するための手段】
【０００４】  本発明は、液体等内部充填用鋼製ドラム缶上蓋小口径給排口の構造が、蓋内面下方向に筒状雌ネジナットが固定装着され、かつ、該ナットに嵌合するボルト栓が、例えば、２，０ミリメートル厚の薄板鋼板製の凹筒状の雄ネジ式に設けられ、かつ、該上部が水平拡張されて６角形の、例えば、対辺３８ミリメートルの外フランジ式に成型された回転密開閉構造の場合に於いて、該ボルト栓開閉操作に用いられているオープナーは、通常、５，０ミリメートル厚強の鋼板製の、短冊状長手方向の片端ヘッド部に６角形の、例えば、対辺３９ミリメートルの貫通穴を配した姿で、又は、該穴各辺部を肉厚成型した取っ手付きオープナーが用いられているが、これらの回転操作時に頻繁に生ずる離脱落防止対策を講じて作業性の向上を図ろうとするもので、本発明は、該オープナーの板厚を、例えば、３，０ミリメートルに設けて、オープナーの貫通穴部上面に所定の天板を配して非貫通遮蔽式の逆凹状のポケットを設け、このポケット部でボルト栓のフランジ６辺を被冠、かつ、確実に接触状態を保持して、ボルト栓開閉操作時に離脱落することなく回転操作可能な、かつ、薄板厚化可能なヘッドホルダー式オープナーを形成することが出来る。尚、該ヘッドホルダー式オープナーは、前記天板を前記多角形貫通穴全面、又は、部分遮蔽式、叉は、格子状に設けることも、或いはこれら天板を透明プラスチック板を用いて形成することも出来る。尚、多角形フランジ裏面には弾性ガスケットが配されている。また、該ヘッドホルダー式オープナーは、長手方向中間部に所定の段差を設けて作業時の握り用取っ手付きに形成されている。【０００５】  従がって、この様に形成されたヘッドホルダー式鋼販オープナーは、ドラム缶上面に配された多角形外フランジ式雄ネジ栓開閉用工具として短冊状の長手方向中間に段差を有する取っ手付きの軽量化を可能にし、かつ、貫通穴上面が天板付きに形成されているため、薄板鋼板製のオープナーの６角の逆凹状ポケットが６角フランジの６辺を被冠保持して、オープナーが薄板フランジから外れことなく回転締め付けと、開栓作業を容易に行うことが出来る。叉、図示しないが、本発明のヘッドホルダー式鋼販オープナーはこれを、ラチェット式に設けることも出来る。
【発明の効果】
【０００６】  本発明のヘッドホルダー式鋼販オープナーは、液体用ドラム缶の蓋の給排用小口径口部構造が、筒状固定雌ネジナットと、嵌合する薄板鋼板成型式６角フランジボルト栓方式に形成されている場合、前記６角フランジ回転開閉操作用のオープナーを、軽量化を図った薄板鋼板製の６角貫通穴上面に、所定の天板を配して下面にオープナー自身の板厚からなる非貫通式のポケットを形成することにより、６角フランジボルト栓回転開閉操作時、ポケット部が６角フランジ全辺を被冠接触保持して回転装着脱可能に設けて作業性を向上し、かつ、該オープナーを極めて経済的に形成することが出来る。
【発明を実施するための最良の形態】
【０００７】  以下、本発明の形態を図１〜図５によって説明する。
【実施例１】
【０００８】  本発明の、ヘッドホルダー式鋼板オープナーは１は、液体等内部充填用鋼製ドラム缶２の蓋２Ａ装着の小口径給排口３の構造が、蓋２Ａの内下方向に筒状雌ネジナット３Ａが固定装着され、嵌合する円形雄ボルト栓３Ｂが、例えば２，０ミリメートル厚の薄板鋼板製の筒凹状の筒部が雄ネジ式に設けられ、かつ、上部が水平拡張成型された外周辺６角形の、例えば、対辺３８ミリメートルの水平フランジ３ａ式に成型されたボルト栓３Ｂ構造の場合に於いて、該ボルト栓開閉操作に用いられる鋼板オープナー１を、例えば、３，０ミリメートル厚、及び、５０ミリメートル巾の、長さ２５０ミリメートルの短冊状に設け、片端ヘッド部Ａに６角フランジ３ａ形状に見合う、例えば、対辺３９ミリメートルの６角形貫通穴Ｂを配し、かつ、この貫通穴Ｂ上面に、所定の天板４を配してオープナー１自身の板厚からなる逆凹状の非貫通式ポケット部Ｃを設けるものとし、かつ、短冊状長手方向の中間に段差Ｄを配した取っ手Ｅ付きオープナー１を形成することが出来る。【０００９】  この様に形成された本発明のヘッドホルダー式鋼板オープナー１は、ボルト栓回転開閉操作時、鋼板オープナーの貫通穴部上部を遮蔽して逆凹状のポケット部Ｃが設けられて６角フランジ３ａを被冠、かつ、全辺接触保持してオープナー１の自重で双方が上下に離脱することなく回転操作可能なヘッドホルダー式の、かつ、段差Ｄ取っ手Ｅ付きオープナー１を形成することが出来る。尚、該オープナー１の鋼板肉厚は、前記多角形フランジ３ａの鋼板肉厚の２，０ミリメートルに対して３，０ミリメートル厚に設けられ、かつ、取っ手部Ｅには所定の握り用段差Ｄを設けて操作を容易にしている。かつ、図示しないが前記天板４は多角形貫通穴Ｂの全面遮蔽式に、又は、格子状に設けることも、或いはこれを、透明プラスチック板を用いて形成することも出来る。尚、多角形フランジ裏面には弾性ガスケット５が配されている。【００１０】  従がって、この様に形成された、ヘッドホルダー式鋼販オープナー１は、ドラム缶蓋２Ａに設置の小口径給排口３部の、例えば、２，０ミリメートル厚の多角形外フランジ式雄ネジ栓３Ｂ開閉用の工具として片端ヘッドＡ部に上面天板４付き逆凹状ポケットＣが形成されているため、雄ネジ栓の６角フランジ３ａの上面、及び、各辺が、オープナー１の自重でポケットＣに無理なく被冠、かつ、六角の各辺が密接触可能に、かつ、長手方向中間に段差Ｄ付きの取っ手Ｅが設けられているため、着脱回転操作時、若干腕を伸ばした状態でも６角フランジ３ａからオープナー１が離脱落することなく回転開閉作業を容易に行うことが出来る。【００１１】  叉、図示しないが、本発明のヘッドホルダー式鋼販オープナーは、これを、ラチェット式に設けることも出来る。
【図面の簡単な説明】
【００１２】
【図１】本発明のヘッドホルダー式鋼販オープナー。
【図２】ドラム缶上面に小口径の多角形ボルト栓が設置された様子を示す下部切欠の図。
【図３】薄板鋼板成型の円形凹筒状、上部外折り曲げ多角形フランジ式雄ボルト栓の図。
【図４】同上、多角形フランジ式雄ボルト栓の正面図で、片側に断面を示す。
【図５】ドラム缶の上部蓋Ａ−Ａ部分断面図で雌ネジ栓装着の様子を示す。
【符号の説明】
【００１３】１  ヘッドホルダー式鋼販オープナー      ２  ドラム缶      ２Ａ  同蓋
３  小口径給排口            ３Ａ  雌ネジナット      ３Ｂ  雄ネジボルト栓
３ａ  多角形水平フランジ    ４  天板                ５  弾性ガスケット
Ａ  ヘッド部          Ｂ  ６角貫通穴      Ｃ  ポケット部        Ｄ  段差
Ｅ  取っ手部
【図１】
2020055624.tif 000003
【図２】
2020055624.tif 000004
【図３】
2020055624.tif 000005
【図４】
2020055624.tif 000006
【図５】
2020055624.tif 000007